(57)【要約】【課題】ミラー振動による画像の揺れや解像力不良を抑え、ミラーの平面度の悪化による画像歪みや倍率誤差等の不具合を防止することができる光折り返しミラーを得る。【解決手段】複写機等に用いられる画像形成装置の光折り返しミラー２１において、光折り返しミラーの長手方向に沿った側面の片側又は両側に補強部材３４を接着した。補強部材はミラー基板と同程度の熱膨張率とする。補強部材３４と光折り返しミラー２１は伸縮性を有する両面テープ２４で固着するとよい。補強部材３４と光折り返しミラ２１ーは、長手方向複数個所で接着するとよい。【選択図】図１
2006039543.tif 000002
【特許請求の範囲】
【請求項１】
複写機等の画像形成装置において、原稿からの反射光を折り返すための光折り返しミラーの長手方向に沿った側面の片側又は両側に補強部材を接着したことを特徴とする光折り返しミラー。
【請求項２】
前記補強部材は前記ミラーと同程度の熱膨張率としたことを特徴とする請求項１記載の光折り返しミラー。
【請求項３】
前記補強部材と前記光折り返しミラーが伸縮性を有する両面テープで接着されていることを特徴とする請求項１又は２記載の光折り返しミラー。
【請求項４】
前記補強部材と前記光折り返しミラーとは、光折り返しミラーの長手方向の複数個所で接着されていることを特徴とする請求項１又は２記載の光折り返しミラー。
【発明の詳細な説明】
【技術分野】
【０００１】
本発明は、複写機、プリンタ、ファクシミリ等の画像形成装置に適用することができる光折り返しミラーに関するものである。
【背景技術】
【０００２】
複写機、プリンタ、ファクシミリ等の画像形成装置においては、原稿からの反射光を読み取って光学的な処理を行い電気信号や画像信号に変換する。そして、この画像情報を有する電気信号を、レーザダイオード（ＬＤ）等を用いて光学的な処理を行い、画像形成を行っている。この場合、原稿からの反射光やレーザダイオード（ＬＤ）からのビームは、一枚又は複数枚の光折り返しミラーで折り返された後、レンズで集光され、ＣＣＤ（チャージ・カップルド・デバイス）や感光体ドラム上に結像される。
【０００３】
上記光折り返しミラーの精度も、形成される画像の品質に影響を及ぼす。すなわち、モータ、移動体その他の振動源の振動によって光折り返しミラーが振動すると、形成される画像の品質が劣化する。そこで、レーザビームをミラーで反射させて感光体に照射するレーザビーム光学系において、前記ミラーの背面に、弾性を有する接着部を介して剛体板を接着したレーザビーム光学系ミラーの防振構造が知られている（例えば、特許文献１参照）。
【０００４】
上記特許文献１記載のレーザビーム光学系ミラーの防振構造においては、図７に示すように、ミラー２１の反射面とは反対面に、金属板やガラス板等の補強部材２３を両面テープ２４等で接着することにより、ミラー２１の剛性を増加させ、共振周波数を高め、振動共振点をずらしてミラー２１の振動をなくすことを目的としている。
【０００５】
しかし、上記従来例では、ミラー２１の反射面として使用している側の反対側で補強部材２３の接着を行っている点に問題がある。通常、ミラーの材料となるフロートガラス板は、片面の平面度が他方の面に比べて良く、この平面度が良い方の面を反射面に用いているため、平面度の悪い反射面の反対側に補強部材２３を接着すると、比較的平面度の良いものであっても、この接着で裏面側の曲面に沿ってガラスが微妙に撓み、この結果、ミラーの反射面側の平面度までが悪くなってしまい、形成される画像に歪みが生じたり、倍率の変化が発生したりするといった不具合が生じる。また、両面テープ２４等の接着部材の厚みの不均一さや、場所による接着力のばらつきにより、補強部材２３とミラー２１の間で厚み方向に不均一な力が加わり、微妙にミラー反射面の平面度が狂ってしまうことがある。
【０００６】
【特許文献１】実開平１−１４２９１３号公報
【発明の開示】
【発明が解決しようとする課題】
【０００７】
本発明は、上記課題を解決するためになされたもので、ミラー振動による画像の揺れや解像力不良を抑え、ミラーの平面度の悪化による画像歪みや倍率誤差等の不具合を防止することができる光折り返しミラーを提供することを目的とする。
【課題を解決するための手段】
【０００８】
前記課題を解決するために請求項１記載の発明は、複写機等に用いられる画像形成装置の光折り返しミラーにおいて、前記光折り返しミラーの長手方向に沿った側面の片側又は両側に補強部材を接着したことを特徴とする。
【０００９】
請求項２記載の発明は、請求項１記載の発明において、前記補強部材は前記ミラーと同程度の熱膨張率であることを特徴とする。
【００１０】
請求項３記載の発明は、請求項１又は２記載の発明において、前記補強部材と前記光折り返しミラーが伸縮性を有する両面テープで固着されていることを特徴とする。
【００１１】
請求項４記載の発明は、請求項１又は２記載の発明において、前記補強部材と前記光折り返しミラーは、長手方向複数個所で接着されていることを特徴とする。
【発明の効果】
【００１２】
請求項１記載の発明によれば、複写機等の画像形成装置において、原稿からの反射光を折り返すための光折り返しミラーの長手方向に沿った側面の片側又は両側に補強部材を接着したため、ミラー剛性を高め、固有振動周波数を高くすることができる、ミラーの固有振動による振動の発生を防止することができると共に、補強材をミラーの裏面に貼り付ける場合に比較して、ミラーの反射面の平面度をかなり精密に維持することができ、ミラー振動による画像の揺れや解像力不良を抑えつつ、平面度の悪化による画像歪みや倍率誤差等の不具合も防止することができる。
【００１３】
請求項２記載の発明によれば、請求項１記載の発明において、補強部材をミラーと同程度の熱膨張率としたため、周囲温度の変化に対し、熱膨張率の相異による接着部のズレが生じることがないので、接着部のズレによるミラーの変形や接着剥がれ等が発生することがない。
【００１４】
請求項３記載の発明によれば、請求項１又は２記載の発明において、補強部材と光折り返しミラーが伸縮性を有する両面テープで接着されるようにしたため、ミラーと両面テープあるいは補強部材と両面テープの熱膨張率の違いにより、周囲の温度変化に伴ってミラーと補強部材にズレが生じミラーの変形や接着剥がれが生じる、といった問題を解消することができる。
【００１５】
請求項４記載の発明によれば、請求項１又は２記載の発明において、補強部材と前記光折り返しミラーとは、光折り返しミラーの長手方向の複数個所で接着されるようにしたため、ミラーと補強部材の接着面積を減少させることができ、ミラーと両面テープあるいは補強部材と両面テープの熱膨張率の違いにより、周囲の温度変化に伴ってミラーと補強部材にズレが生じミラーの変形や接着剥がれが生じる、といった問題を解消することができる。
【発明を実施するための最良の形態】
【００１６】
以下、図面を参照しながら本発明にかかる光折り返しミラーの実施の形態について説明する。図４に示すアナログ複写機のスキャナ装置１では、原稿１６を載せるコンタクトガラス１１の下方に第１走行体１００と第２走行体１０１が配置されている。第１走行体１００は照明ランプ１４と第１ミラー１２−１を有してなり、照明ランプ１４と第１ミラー１２−１が一体的に移動可能となっている。第１ミラー１２−１は原稿からの反射光を水平方向に反射する。また、第２走行体１０１は第２ミラー１２−２と第３ミラー１２−３を有してなり、第２、第３ミラー１２−２、１２−３は一体的に移動可能となっている。第２、第３ミラー１２−２、１２−３は反射面が互いに直角になるように斜設され、第１ミラー１２−１からの反射光を水平方向に折り返す。その後反射光は、レンズ１３により集束され、第４ミラー１２−４で反射され、感光体ドラム１５に潜像を形成する。この潜像が図示しない現像部で顕像化され画像が形成される。
【００１７】
第１走行体１００と第２走行体１０１はともに図示しない走行体モータを駆動源とし、図４に示す矢印方向に移動可能となっている。この時、露光中の原稿から感光体ドラム１５までの光学的距離を一定に保つために、第１走行体１００は、第２走行体１０１に対して２倍の速度Ｖで移動するようになっている。なお、図４において一点鎖線で示した部分は、原稿１６を走査した後のミラー１２−１、１２−２、１２−３の位置を示したものである。照明ランプ１４、第１〜第４ミラー１２−１、１２−２、１２−３、１２−４、レンズ１３は、上記のとおり動作する。
【００１８】
また、図５に示すようなデジタル複写機のスキャナ装置２では、照明ランプ１４から照射された光は、原稿１６で反射され、この反射光は第１ミラー１２−１、第２ミラー１２−２、第３ミラー１２−３、第４ミラー１２−４の順に反射され、レンズ１３を通って光電変換素子としてのＣＣＤ１７の光電変換面に結像される。ＣＣＤ１７から原稿の画像信号を電気信号として取り出している。
【００１９】
スキャナ装置２において電気信号に変換された画像信号は、図３に示す光書込ユニット３で潜像化される。光書き込みユニット３は、図示しない光学素子としてのレーザダイオードと図示しない発光駆動制御部、ポリゴンスキャナ３１とその図示しない回転用モータ、ｆ／θレンズ３２−１、３２−２、折り返しミラー３３−１等で構成されている。光書き込みユニット３では、前記スキャナ２からの画像データ（カラー画像データの場合もある）を光信号に変換し、原稿画像に対応した光書き込みを行い、感光体ドラム１５上に静電潜像を形成する。図示しないレーザ光源から出射した光は、高速で回転するポリゴンスキャナ３１で反射され、ｆθ機能をもつレンズ系３２−１、３２−２に導かれ、折り返しミラー３３−１で斜め下方に反射され、レンズ３２−３を通り、さらに光折り返しミラー３３−２で反射されて感光体ドラム１５上を往復運動する光ビームとして結像される。レーザ光は、コンピュータ等により、前述の読み取った原稿の画像信号強度レベルに応じてＯＮ／ＯＦＦ制御され、感光体ドラム１５上に画像が結像される。
【００２０】
上記スキャナ装置１、２や光書き込みユニット３に用いられる光折り返しミラーは、通常は図６に示すような構成をしている。ミラー２１はミラー長手方向の両端部に設けられた固定具２５、２５で固定されているだけであり、スキャナ装置１、２や光書き込みユニット３の可動部で発生した振動等が伝達されやすく、ミラー２１が横固有振動を起こし、その結果、形成された画像に揺れや焦点ぼけ等の悪影響をもたらすといった問題があった。
【００２１】
図１に示す本願発明の実施の形態では、ミラー２１の長手方向に沿った側面に補強部材３４を両面テープ２４により接着している。図１の例においては、ミラー２１の側面の片方にのみ補強部材３４を接着した例を示しているが、側面の両方にそれぞれ補強部材３４を接着しても良い。また、両面テープ２４の代わりに接着剤により補強部材３４をミラー２１に接着しても良い。このように、光折り返しミラー２１の長手方向に沿った側面の片側又は両側に補強部材３４を接着したため、ミラー剛性を高め、ミラーの固有振動周波数を高くすることができ、ミラーの固有振動による振動の発生を防止することができる。また、従来のように補強材をミラーの裏面に接着する場合に比較して、ミラーの反射面の平面度をかなり精密に維持することができ、ミラー振動による画像の揺れや解像力不良を抑えつつ、平面度の悪化による画像歪みや倍率誤差等の不具合も防止することができる。
【００２２】
なお、ミラー２１と補強部材３４の材質は共にガラスとしても良いし、ミラー２１と補強部材３４の材質は膨張率が同程度であれば良いので、材質自体は異なっていてもかまわない。このように、ミラー２１と補強部材３４の材質の膨張率を同程度とすることにより、画像形成装置の使用により温度が上昇しても熱膨張率の相異による接着部のズレによるミラー２１の変形や接着剥がれ等が発生することがなくなる。
【００２３】
図１において、ミラー２１と補強部材３４とは、伸縮性を有する両面テープ２４で接着されている。折り返しミラー２１と補強部材とを接着する両面テープ２４に伸縮性がない場合、周囲の温度変化に伴い、ミラー２１と両面テープ２４あるいは補強部材３４と両面テープ２４の熱膨張率の違いにより、ミラー２１と補強部材３４にズレが生じ、ミラー２１の変形や接着剥がれが生じてしまう。しかし、本願発明のように伸縮性を有する両面テープ２４を用いることにより、温度変化によるミラー２１と補強部材３４の接着部の不具合が解消される。
【００２４】
図２に示す例では、ミラー２１と１個の補強部材３４とは、ミラー長手方向の３個所で接着されている。このように、ミラー２１の長手方向の複数個所で補強部材３４を接着したものによれば、図１に示す例のように補強部材３４の全面に両面テープ２４を貼りミラー２１と補強部材３４とを接着した場合に比べて接着面積を減少させることができ、さらに、ミラー２１と両面テープ２４あるいは補強部材３４と両面テープ２４の熱膨張率の相異による接着部のズレや接着剥がれ等の接着部の不具合をより生じにくくすることができる。なお、接着個所はミラーのサイズ等により適宜変更可能である。
【００２５】
本発明にかかる光折り返しミラーは、固定ミラーに限らず可動ミラーにも適用可能である。例えば、図１、図２の例において、第１〜第４ミラー１２−１、１２−２、１２−３、１２−４、図３における折り返しミラー３３−１、３３−２に適用することができる。
【図面の簡単な説明】
【００２６】
【図１】本発明にかかる光折り返しミラーの実施の形態を示す斜視図である。
【図２】本発明にかかる光折り返しミラーの別の例を示す斜視図である。
【図３】本発明にかかる光折り返しミラーを適用することができる画像形成装置の一例を示す側面図である。
【図４】本発明にかかる光折り返しミラーを適用することができるスキャナ装置の一例を示す側面図である。
【図５】上記スキャナ装置の別の例を示す側面図である。
【図６】従来の光折り返しミラーの一例を示す斜視図である。
【図７】従来の光折り返しミラーの一例を示す側面図である。
【符号の説明】
【００２７】
２１    光折り返しミラー
２４    両面テープ
３４    補強部材
【図１】
2006039543.tif 000003
【図２】
2006039543.tif 000004
【図３】
2006039543.tif 000005
【図４】
2006039543.tif 000006
【図５】
2006039543.tif 000007
【図６】
2006039543.tif 000008
【図７】
2006039543.tif 000009